(57)【要約】    【課題】ケーブルの配置および支持を容易にすることができるケーブルクリートを提供する。    【解決手段】複数の保護パイプ４を軸方向に並べて壁面２に固定する。隣接する保護パイプ４ａ、４ｂの間に間隔を設けて分断部６を構成する。保護パイプ４に電力ケーブル５を挿通する。分断部６から露出する部位をゴム部材８で取り囲む。壁側部材９を壁面２に固定する。ゴム部材８を挟むように、一対の部材７ａ、７ｂからなる把持部材７を配置する。把持部材７を表側から覆うようにカバー部材１０を配置する。壁側部材９とカバー部材１０とを締結ボルト１４で締結して、把持部材７を挟圧する。把持部材７がゴム部材８を介して電力ケーブルを弾性的に把持する。【選択図】  図２
2007020344.tif 000002
【特許請求の範囲】
【請求項１】
壁面に固定された保護パイプの分断部に配され、前記保護パイプに内装されたケーブルを支持するためのケーブルクリートであって、
前記保護パイプの分断部に配されてケーブルを把持する把持部材と、該把持部材とケーブルとの間に介在されるゴム部材と、前記把持部材よりも壁面側に配置される壁側部材と、前記把持部材を表側から覆うカバー部材とを備え、
前記把持部材は、ケーブルをその軸直角方向に挟んで把持するよう一対の部材に分割され、壁側部材とカバー部材との間で挟圧されることにより、前記ゴム部材を介してケーブルを弾性的に把持することを特徴とするケーブルクリート。
【請求項２】
前記カバー部材は、把持部材を跨ぐＵ字形とされ、その両端部を前記壁側部材にボルト締結することにより、壁側部材との間で把持部材を挟圧することを特徴とする請求項１に記載のケーブルクリート。
【請求項３】
前記カバー部材は、２枚のカバー片から把持部材を跨ぐＵ字形に構成され、各カバー片の端部を前記壁側部材に係止すると共に、両カバー片同士をボルト締結することにより、壁側部材との間で把持部材を挟圧することを特徴とする請求項１に記載のケーブルクリート。
【請求項４】
前記ゴム部材は、その全体の形状がケーブルを取り囲む略筒状とされ、その周方向における少なくとも一箇所が軸方向の全長に渡って分断されたことを特徴とする請求項１、２又は３に記載のケーブルクリート。
【請求項５】
前記カバー部材は、保護パイプの軸方向において、保護パイプの前記分断部よりも長く設定され、分断部の両側に位置する保護パイプの端部を覆うことを特徴とする請求項１〜４のいずれかに記載のケーブルクリート。
【請求項６】
前記壁側部材を壁面に固定することにより、前記把持部材がケーブルを把持しつつ壁面に固定されたことを特徴とする請求項１〜５のいずれかに記載のケーブルクリート。
【請求項７】
壁面に複数の保護パイプをその軸方向に並べると共に、隣接する保護パイプ同士を間隔をあけて配置することにより保護パイプの分断部を構成し、次いで、前記保護パイプにケーブルを挿通して前記分断部に露出する部位の少なくとも一部をゴム部材で取り囲むと共に、分断部における壁面に壁側部材を取り付け、その後、前記ゴム部材を挟むように一対の部材からなる把持部材を配して、該把持部材を表側から覆うようにカバー部材を配置し、該カバー部材と前記壁側部材との間で把持部材を挟圧することにより、ゴム部材を介してケーブルを弾性的に把持することを特徴とするケーブルの支持方法。
【請求項８】
前記分断部の両側の保護パイプのうちの少なくとも一方は、前記把持部材を配する位置から軸方向に離間させて配置すると共に、壁面に固定された別の保護パイプに軸方向にスライド自在に外装しておき、把持部材でケーブルを把持した後、軸方向にスライドさせて把持部材との間隔を狭めることを特徴とする請求項７に記載のケーブルの支持方法。
【発明の詳細な説明】
【技術分野】
【０００１】
本発明は、例えば建物の壁面に沿わせて配線された電力ケーブルなどのケーブルを支持するためのケーブルクリートに関するものである。
【背景技術】
【０００２】
一般に、地中線から建物の屋上に設けられた変圧器に電力を引き込む場合、電力ケーブルを保護する保護パイプを鉛直に配置して建物の壁面に固定し、この壁面に固定された保護パイプに地中から立ち上げた電力ケーブルを挿通して屋側電線路を構成している。屋側電線路には、所定の間隔でケーブルクリートが設けられ、このケーブルクリートが保護パイプに挿通された電力ケーブルを支持している。
【０００３】
図１３に、屋側電線路に装備されるケーブルクリートを示す。図１３（ａ）はケーブルクリートの正面図、図１３（ｂ）はケーブルクリートの側面図、図１３（ｃ）は図１３（ａ）のＦ−Ｆ断面図である。
【０００４】
このケーブルクリート１０１は、半円筒状の壁側カバー１０２と半円筒状の表側カバー１０３とを備え、両者をボルト締結することによりパイプ形状に構成されて、その内部に、電力ケーブル１０４を把持するための把持部材１０５が設けられる。把持部材１０５は、壁側カバー１０２に固定された壁側金具１０５ａと、単独部品の表側金具１０５ｂとからなり、壁側金具１０５ａに表側金具１０５ｂをボルト締結することにより、ゴム部材１０６を介して電力ケーブル１０４を把持するようになっている。
【０００５】
壁側カバー１０２は、あらかじめ壁面１０７に固定され、保護パイプ１０８に電力ケーブル１０４を挿通した後、把持部材１０５で電力ケーブル１０４を把持して、表側カバー１０３を装着するようになっている。
【０００６】
なお、例えば特許文献１には、ケーブル保護用の保護パイプを設けない場合に用いられるケーブルクリートが開示されている。
【特許文献１】特開平７−２７４３５６号公報（段落番号０００３、図２）
【発明の開示】
【発明が解決しようとする課題】
【０００７】
ところが、上記のような壁側カバーおよび表側カバーを備えたケーブルクリートは、把持部材の壁側金具を設けた壁側カバーをあらかじめ壁面に固定しておくため、保護パイプに電力ケーブルを挿通させる際に、把持部材の壁側金具が邪魔になりやすい。また、把持部材で電力ケーブルを把持した後、さらに、壁側カバーに表側カバーを装着する必要があり、その分、ケーブルクリートの設置に要する時間が長くなる。
【０００８】
本発明は、ケーブルの配置および支持を容易にすることができるケーブルクリートを提供することを目的とする。
【課題を解決するための手段】
【０００９】
上記目的を達成するため、本発明に係るケーブルクリートは、壁面に固定された保護パイプの分断部に配して、保護パイプに内装されたケーブルを支持するためのものであり、保護パイプの分断部に配されてケーブルを把持する把持部材と、把持部材とケーブルとの間に介在するゴム部材と、把持部材よりも壁面側に配置される壁側部材と、把持部材を表側から覆うカバー部材とを備えている。その把持部材は、ケーブルをその軸直角方向に挟んで把持するよう一対の部材に分割されたものであり、壁側部材とカバー部材との間で挟圧されることにより、ゴム部材を介してケーブルを弾性的に把持するようになっている。
【００１０】
この構成によれば、壁側部材とカバー部材とで、一対の部材に分割された把持部材を挟圧してケーブルを把持するので、あらかじめ壁面側に把持部材を構成する一方の部材を設置しておくことなく、保護パイプにケーブルを挿通した後に、ケーブルの側方から把持部材を配置することができる。
【００１１】
これにより、保護パイプにケーブルを挿通する際にケーブルクリートが邪魔になることを防止することができる。また、把持部材をカバー部材と壁側部材とで挟圧することによりケーブルを把持するので、ケーブルを把持すると同時に把持部材をカバー部材で覆うことができる。
【００１２】
把持部材を挟圧する手段として、例えば把持部材を跨ぐＵ字形のカバー部材を採用し、その両端部を壁側部材にボルト締結することにより、カバー部材と壁側部材との間で把持部材を挟圧することができる。また、２枚のカバー片から把持部材を跨ぐＵ字形のカバー部材を構成し、各カバー片の端部を壁側部材に係止すると共に、両カバー片同士をボルト締結することにより、カバー部材と壁側部材との間で把持部材を挟圧することもできる。
【００１３】
ゴム部材の全体の形状をケーブルを取り囲む略筒状として、その周方向における少なくとも一箇所を軸方向の全長に渡って分断する。そうすれば、その分断された箇所をケーブルに通過させるようにして、ゴム部材をケーブルに側方から装着することができ、ケーブルへのゴム部材の装着を簡単にすることができる。
【００１４】
保護パイプの軸方向におけるカバー部材の長さを保護パイプの分断部の長さよりも長く設定して、カバー部材で、分断部の両側に位置する保護パイプの端部を覆えば、保護パイプの分断部をその全長に渡って覆うことができ、把持部材を紫外線から防いだり、鳥類などの営巣を防止したりすることができる。
【００１５】
把持部材は、保護パイプの端面に係止することにより、把持したケーブルを支持するようにしてもよいが、壁側部材を壁面に固定することにより、把持部材でケーブルを把持しつつ、把持部材を壁面に固定するようにしてもよい。これにより、ケーブルをより強固に支持することができる。
【００１６】
ここで、壁側部材を壁面に固定するための手法としては、壁面にナットを埋設しておき、このナットに壁側部材の表側から頭付のボルトを螺合する手法や、壁面にボルトの基端部を埋設しておき、このボルトに壁側部材の表側からナットを螺合する手法、ケミカルアンカーを使用する手法などを例示することができる。
【００１７】
さらに、カバー部材と壁側部材とを締結する手法としては、ナットや頭付のボルトを壁側部材に設けておき、このナットや頭付のボルトにカバー部材の表側からボルト又はナットを螺合する手法を例示することができる。この場合、ナットや頭付のボルトを壁側部材にスライド自在に設けておけば、位置合わせを簡単にすることができ、好適である。また、壁側部材を壁面に固定するためのボルトを利用して、壁側部材を壁面に固定すると同時に、カバー部材と壁側部材とを締結するようにしてもよい。
【００１８】
また、本発明は、ケーブルクリート用いたケーブルの支持方法を提供する。具体的に説明すると、まず、壁面に複数の保護パイプをその軸方向に並べると共に、隣接する保護パイプ同士を間隔をあけて配置することにより保護パイプの分断部を構成する。次いで、保護パイプにケーブルを挿通して分断部に露出する部位の少なくとも一部をゴム部材で取り囲むと共に、分断部における壁面に壁側部材を取り付ける。その後、ゴム部材を挟むように一対の部材からなる把持部材を配して、把持部材を表側から覆うようにカバー部材を配置し、カバー部材と壁側部材との間で把持部材を挟圧することにより、ゴム部材を介してケーブルを弾性的に把持する。
【００１９】
このケーブルの支持方法において、分断部の両側の保護パイプのうちの少なくとも一方を、把持部材を配する位置から軸方向に離間させて配置すると共に、壁面に固定された別の保護パイプに軸方向にスライド自在に外装しておき、把持部材でケーブルを把持した後、軸方向にスライドさせて把持部材との間隔を狭めるようにすることもできる。そうすれば、広めに設定した分断部を保護パイプへのケーブルの挿入口とすることができ、さらに、挿入したケーブルをケーブルクリートで支持した後、スライド自在な保護パイプをスライドさせて、広めに設定された分断部を狭めることができる。
【発明の効果】
【００２０】
以上のとおり、本発明によると、保護パイプにケーブルを挿通した後に、ケーブルの側方から把持部材を配置してケーブルを把持することができるので、把持部材を構成する一方の部材をあらかじめ壁面側に設置しておく必要がなく、保護パイプにケーブルを挿通する際の障害をなくすことができる。また、壁側部材とカバー部材とで、一対の部材に分割された把持部材を挟圧してケーブルを把持するので、ケーブルを把持すると同時に、保護パイプの分断部をカバー部材で覆うことができる。これにより、ケーブルの配置および支持を容易にし、ケーブルの配線に要する時間を短くすることができる。
【発明を実施するための最良の形態】
【００２１】
以下、本発明に係るケーブルクリートを実施するための最良の形態について、図面を用いて説明する。
【００２２】
［第１実施形態］
まず、本発明の第１実施形態について説明する。図１は本発明に係るケーブルクリートで電力ケーブルを支持した状態を示す斜視図、図２は図１のＡ−Ａ断面図である。図３の上半分はケーブルクリートの側面図であり、下半分は図１のＢ−Ｂ断面図である。図４は把持部材の表側把持部材を示す図であり、（ａ）は表側把持部材の平面図、（ｂ）は（ａ）のＣ−Ｃ断面図である。図５は把持部材の壁側把持部材を示す図であり、（ａ）は壁側把持部材の平面図、（ｂ）は（ａ）のＤ−Ｄ断面図である。
【００２３】
このケーブルクリート１は、例えば建物の壁面２に設けられた屋側電線路３に所定の間隔（例えば６６００Ｖの高圧電力ケーブルの場合は６．０ｍ間隔）で装備され、屋側電線路３の保護パイプ４に内装された電力ケーブル５を支持するためのものであり、保護パイプ４の分断部６に配されて電力ケーブル５を把持する把持部材７と、把持部材７と電力ケーブル５との間に介在されるゴム部材８と、把持部材７よりも壁面２側に配置される壁側部材９と、把持部材７を表側から覆うカバー部材１０とを備えている。
【００２４】
屋側電線路３は、例えば地中線から建物の屋上に設けられた変圧器に電力を引き込むためのものであり、電力ケーブル５を保護する複数本の保護パイプ４を鉛直方向に配列して壁面２に固定し、この保護パイプ４に地中から立ち上げた電力ケーブル５を挿通した構成とされる。保護パイプ４は、例えばケーブルクリート１の設置間隔に対応する長さの鋼管からなり、上下に隣接する保護パイプ４ａ、４ｂの間に軸方向（上下方向）の隙間をあけて配置することにより、ケーブルクリート１を装備するための分断部６が設けられる。
【００２５】
把持部材７は、ポリプロピレンなどの合成樹脂からなる断面略半円形の表側把持部材７ａと、同じくポリプロピレンなどの合成樹脂からなる断面略長方形の壁側把持部材７ｂとから構成され、これらの部材が対になり、ゴム部材８を介して電力ケーブル５を壁面２に垂直な方向（前後方向）に挟んで弾性的に把持するようになっている。
【００２６】
表側把持部材７ａおよび壁側把持部材７ｂには、断面半円形の溝１１が形成され、把持部材７を組み立てた状態において、両部材の溝１１がゴム部材８を収容する断面円形の中央穴を構成する。溝１１の両端には軸直角方向内向きに突出する鍔１２が形成され、把持部材７とゴム部材８との相対的な移動を規制する。
【００２７】
ゴム部材８は、その全体の形状が電力ケーブル５を取り囲む略筒状とされると共に、その周方向における一箇所が軸方向の全長に渡って分断され、保護パイプ４の分断部６において露出する電力ケーブル５に側方から装着可能とされている。
【００２８】
壁側部材９は、金属製で溝形の部材とされ、把持部材７と壁面２との間に位置し、壁面２から把持部材７の中心までの距離と、壁面２から保護パイプ４の中心までの距離とを等しくするスペーサーとして機能する。壁側部材９の厚さを調節することにより、壁面２のあらゆる位置にケーブルクリート１を設けることができる。
【００２９】
カバー部材１０は、把持部材７の表側の形状に沿うようにＵ字形の金属板とされ、その両端の折曲片１３を締結ボルト１４によって壁側部材９に締結することにより、壁側部材９との間で把持部材７を挟圧し、表側把持部材７ａと壁側把持部材７ｂとを一体化する。このカバー部材１０は、保護パイプ４の分断部６よりも上下方向に長く設定され、分断部６の両側に位置する保護パイプ４ａ、４ｂの端部を覆って、分断部６の全体を覆い隠す。
【００３０】
壁側部材９とカバー部材１０とを締結する締結ボルト１４は、その先端部を壁面２に固定され、ケーブルクリート１の全体が壁面２に固定される。
【００３１】
次に、ケーブルクリート１で電力ケーブル５を支持する手順を説明する。まず、複数の保護パイプ４を上下方向に並べて、図示しない金具により壁面２に固定する。このとき、隣接する保護パイプ４ａ、４ｂを間隔をあけて配置することにより、保護パイプ４に分断部６を構成する。
【００３２】
次いで、保護パイプ４に電力ケーブル５を挿通して、分断部６から露出する部位にゴム部材８を装着して取り囲むと共に、分断部６の位置における壁面２に壁側部材９を配置する。
【００３３】
その後、ゴム部材８を前後に挟むように、表側把持部材７ａおよび壁側把持部材７ｂを配置して、把持部材７を組み立てる。このとき、表側把持部材７ａおよび壁側把持部材７ｂの鍔１２がゴム部材８に係止されることにより、把持部材７の組み立てが容易になる。
【００３４】
把持部材７および保護パイプ４ａ、４ｂの端部を表側から覆うようにカバー部材１０を配置し、このカバー部材１０を締結ボルト１４によって壁側部材９に締結すると共に、締結ボルト１４の先端部を壁面２に固定する。
【００３５】
これにより、カバー部材１０と壁側部材９との間で把持部材７が挟圧されて、その表側把持部材７ａと壁側把持部材７ｂとが一体化し、把持部材７がゴム部材８を介して電力ケーブル５を弾性的に把持する。また、ケーブルクリート１が壁面２に固定されて、電力ケーブル５を支持する。
【００３６】
上記構成によれば、保護パイプ４への電力ケーブル５の挿通後に、把持部材７を構成する表側把持部材７ａおよび壁側把持部材７ｂや壁側部材９、カバー部材１０などの小さく軽量な部材を組み立ててケーブルクリート１を構成することができる。これにより、電力ケーブル５の保護パイプ４への挿通やケーブルクリート１による支持など、電力ケーブル５の配線を容易にすることができる。
【００３７】
［第２実施形態］
次に、本発明の第２実施形態について説明する。図６は本発明に係るケーブルクリートで電力ケーブルを支持した状態を示す斜視図、図７は図６のＥ−Ｅ断面図である。図８はカバー部材の分解斜視図である。図９は把持部材を示す斜視図であり、（ａ）は表側把持部材の斜視図、（ｂ）は壁側把持部材の斜視図である。
【００３８】
第２実施形態のケーブルクリート１５は、第１実施形態のケーブルクリート１とほぼ同じ構成であるが、そのカバー部材１６が、２枚のカバー片１６ａ、１６ｂを連結することにより、把持部材１７を跨ぐＵ字形に構成されている。
【００３９】
カバー片１６ａ、１６ｂの一端には係止片１８が突設され、この係止片１８を壁側部材９の溝に挿入して折返片９ａに係止するようになっている。また、カバー片１６ａ、１６ｂの他端には連結片１９が形成され、カバー片１６ａ、１６ｂの連結片１９同士をボルト２０で締結するようになっている。
【００４０】
カバー片１６ａ、１６ｂの係止片１８を壁側部材９に係止した状態で、連結片１９同士をボルト締結することにより、壁側部材９とカバー部材１６とで把持部材１７が挟圧される。なお、カバー片１６ａには、ボルト２０の軸部を貫通させる円孔のボルト孔が形成され、カバー片１６ｂには、ボルト２０の軸部を螺合させるよう、バーリング加工によって内面にねじ山を有するボルト孔が形成されている。
【００４１】
壁側部材９は、壁面２に基端部（頭部側）を埋設されたボルト２１に、壁側部材９の表側からナット２２を螺合することにより、壁面２に取り付けられている。この壁側部材９は、あらかじめ壁面２にボルト２１を固定しておくことにより、壁面２への固定を簡単にしている。
【００４２】
把持部材１７は、第１実施形態における把持部材７とほぼ同じ構造であり、表側把持部材１７ａと壁側把持部材１７ｂとからなるが、壁側把持部材１７ｂの壁側コーナー部分に、電力ケーブル５と壁側部材９との間への挿入を容易にするための面取り２３が施されている。
【００４３】
次に、ケーブルクリート１５で電力ケーブル５を支持する手順を説明する。図１０は電力ケーブルを支持する手順を説明する図である。
【００４４】
まず、図１０（ａ）に示すように、複数の保護パイプ４を上下方向に並べて、金具２４により壁面２に固定する。このとき、隣接する保護パイプ４ａ、４ｂを間隔をあけて配置することにより、保護パイプ４に分断部６を構成すると共に、分断部６の位置における壁面２に壁側部材９を固定する。次いで、図１０（ｂ）に示すように、保護パイプ４に電力ケーブル５を挿通し、図１０（ｃ）に示すように、分断部６に露出する部位にゴム部材８を装着して取り囲む。
【００４５】
その後、図１０（ｄ）に示すように、壁側部材９とゴム部材８との間に壁側把持部材１７ｂを挿入し、図１０（ｅ）に示すように、ゴム部材８の表側に表側把持部材１７ａを配置して、表側把持部材１７ａおよび壁側把持部材１７ｂでゴム部材８を前後に挟むように把持部材７を組み立てる。図１０（ｆ）、（ｇ）に示すように、カバー片１６ａ、１６ｂの係止片１８を壁側部材９の溝に挿入して係止し、連結片１９同士をボルト締結する。
【００４６】
これにより、壁側部材９とカバー部材１６との間で把持部材１７が挟圧されて、その表側把持部材１７ａと壁側把持部材１７ｂとが一体化し、把持部材１７がゴム部材８を介して電力ケーブル５を弾性的に把持する。また、ケーブルクリート１５が壁面２に固定されて、電力ケーブル５を支持する。このとき、Ｕ字形に組み立てられたカバー部材１６が把持部材１７および保護パイプ４ａ、４ｂの端部を表側から覆う。他の構成は第１実施形態と同じである。
【００４７】
なお、本発明は、上記の実施の形態に限定されるものではなく、本発明の範囲内において、適宜変更を加えることができる。例えば、このケーブルクリート１、１５は、電力ケーブル５以外にも電話線など、あらゆるケーブルの支持に使用することができる。壁面２に締結ボルト１４の先端部やボルト２１の基端部を埋設する代わりに、把持部材７、１７や壁側部材９、カバー部材１０、１６などを保護パイプ４の端部に係止して、電力ケーブル５を支持するようにしてもよい。
【００４８】
図１１に示すように、把持部材７、１７（図１１は表側把持部材７ａ、１７ａを示す）の表面に多数の凹部２５を形成し、把持部材７、１７のより一層の軽量化を図ってもよい。把持部材７、１７は、壁面２と平行な面で前後に分割する代わりに、壁面２と垂直な面で左右に分割してもよい。この場合にも、カバー部材１０、１６のＵ字形の形状になじませるようにして、把持部材７、１７を構成する一対の部材を一体化することができる。
【００４９】
ゴム部材８は、その周方向における一箇所を分断するだけでなく、周方向における複数箇所を分断することにより、複数の部材に分割してもよい。さらに、ゴム部材８を分割した各部材と、把持部材７、１７を構成する各部材とをあらかじめ一体化しておくようにしてもよい。カバー部材１０、１６は、分断部６を覆い隠す大きさに設定するのが好適であるが、壁側部材９との間で把持部材７、１７を挟圧できるものであれば、その本来的な機能を発揮することができる。
【００５０】
また、図１２に示すように、分断部６を広めに設定しておくことにより、この分断部６を保護パイプ４への電力ケーブル５の挿入口とし、挿入した電力ケーブル５をケーブルクリート１５で支持してから分断部６を狭めるようにしてもよい。
【００５１】
具体的には、まず、図１２（ａ）に示すように、複数の保護パイプ４を上下方向に並べて壁面２に固定し、保護パイプ４ａ、４ｂ間の分断部６における壁面２に壁側部材９を固定する。このとき、分断部６を軸方向に広めに設定しておき、そのうちの保護パイプ４ａの近傍に壁側部材９を固定する。また、保護パイプ４ａを固定する金具２４は、分断部６に近接して保護パイプ４ａの端部を固定し、保護パイプ４ｂを固定する金具（図示せず）は、分断部６から離間して保護パイプ４ｂを固定する。
【００５２】
次いで、図１２（ｂ）に示すように、保護パイプ４ｂに、保護パイプ４ｃを軸方向にスライド自在に外装する。このとき、保護パイプ４ｃの端部は壁側部材９の位置（把持部材１７を配する位置）から軸方向に離間している。さらに、挿入口としての分断部６から保護パイプ４に電力ケーブル５を挿入することにより、図１２（ｃ）に示すように、保護パイプ４に電力ケーブル５を挿通し、図１２（ｄ）に示すように、分断部６に露出する部位にゴム部材８を装着して取り囲む。
【００５３】
その後、図１２（ｅ）に示すように、壁側部材９とゴム部材８との間に壁側把持部材１７ｂを挿入し、図１２（ｆ）に示すように、ゴム部材８の表側に表側把持部材１７ａを配置して、表側把持部材１７ａおよび壁側把持部材１７ｂでゴム部材８を前後に挟むように把持部材７を組み立てる。図１２（ｇ）、（ｈ）に示すように、カバー片１６ａ、１６ｂの係止片１８を壁側部材９の溝に挿入して係止し、連結片１９同士をボルト締結する。
【００５４】
これにより、壁側部材９とカバー部材１６との間で把持部材１７が挟圧されて、その表側把持部材１７ａと壁側把持部材１７ｂとが一体化し、把持部材１７がゴム部材８を介して電力ケーブル５を弾性的に把持する。また、ケーブルクリート１５が壁面２に固定されて、電力ケーブル５を支持する。
【００５５】
最後に、図１２（ｉ）に示すように、保護パイプ４ｃを軸方向にスライドさせて把持部材１７との間隔を狭める。保護パイプ４ｃの端部に設けられた当接片２６が把持部材１７に当接するまで、保護パイプ４ｃをスライドさせ、この保護パイプ４ｃをボルト２７を用いて保護パイプ４ｂに固定する。これにより、Ｕ字形に組み立てられたカバー部材１６が把持部材１７および保護パイプ４ａ、４ｃの端部を表側から覆う。
【００５６】
このケーブルの支持方法によれば、広めに設定した分断部６を保護パイプ４への電力ケーブル５の挿入口とするので、屋側電線路３にその途中から電力ケーブル５を挿入することができ、電力ケーブル５の配線を容易にすることができる。さらに、電力ケーブル５を支持した後、広めに設定しておいた分断部６を狭めるので、電力ケーブル５の支持作業が簡単になる。なお、電力ケーブル５を挿入する部位の分断部６を広めに設定しておけばよく、他の分断部６では、図１０に示す手順で電力ケーブル５を支持すればよい。また、このケーブルの支持方法は、ケーブルクリート１を用いる場合にも採用することができる。
【図面の簡単な説明】
【００５７】
【図１】本発明に係るケーブルクリートで電力ケーブルを支持した状態を示す斜視図（第１実施形態）
【図２】図１のＡ−Ａ断面図
【図３】上半分はケーブルクリートの側面図、下半分は図１のＢ−Ｂ断面図
【図４】把持部材の表側把持部材を示す図
【図５】把持部材の壁側把持部材を示す図
【図６】本発明に係るケーブルクリートで電力ケーブルを支持した状態を示す斜視図（第２実施形態）
【図７】図６のＥ−Ｅ断面図
【図８】カバー部材の分解斜視図
【図９】把持部材を示す斜視図
【図１０】電力ケーブルを支持する手順を説明する図
【図１１】表側把持部材の別の形態を示す斜視図
【図１２】電力ケーブルを支持する別の手順を説明する図
【図１３】従来のケーブルクリートを示す図
【符号の説明】
【００５８】
１、１５    ケーブルクリート
２          壁面
４          保護パイプ
５          電力ケーブル
６          分断部
７、１７    把持部材
８          ゴム部材
９          壁側部材
１０、１６  カバー部材
１４        締結ボルト
【図１】
2007020344.tif 000003
【図２】
2007020344.tif 000004
【図３】
2007020344.tif 000005
【図４】
2007020344.tif 000006
【図５】
2007020344.tif 000007
【図６】
2007020344.tif 000008
【図７】
2007020344.tif 000009
【図８】
2007020344.tif 000010
【図９】
2007020344.tif 000011
【図１０】
2007020344.tif 000012
【図１１】
2007020344.tif 000013
【図１２】
2007020344.tif 000014
【図１３】
2007020344.tif 000015